(57)【要約】【課題】汗による脇の下のかぶれ、湿疹、タダレをなくし、使用者をして脇の下にサラサラ感が得られるようにした汗取りパットを提供する。【解決手段】本考案に係る汗取りパットは、抗菌と防臭性を有する芯材の表裏面に、吸汗性及び発散性を有する柔軟な布帛を重ね、二つ折り時に脇下に挟め得る大さの長方形にカット縫製したことを特徴とし、汗の吸収性と吸収した汗の発散性及び菌／防臭性に優れた性能を発揮できる。したがって、脇の下にあてがうだけで、かぶれ、湿疹、タダレをなくし、常に、脇の下にサラサラ感が与えられるように構成した。【選択図】図１
0003123768.tif 000002
【実用新案登録請求の範囲】
【請求項１】
抗菌性と防臭性を有する柔軟な芯材の表裏面に、吸汗性及び発散性を有する柔軟な布帛を重ねて周囲をカット縫製したことを特徴とする汗取りパット。
【請求項２】
抗菌性と防臭性を有する柔軟な芯材の表裏面に、吸汗性及び発散性を備えた柔軟な布帛を重ね、幅より丈を長くした平面形状にカット縫製したことを特徴とする汗取りパット。
【考案の詳細な説明】
【技術分野】
【０００１】
本考案は、汗をかき易い個所（たとえば脇の下）にあてて使用し、汗によるベタ付きを解消し、サラサラ感（ドライ感）が与えられるようにした汗取りパットに関するものである。
【背景技術】
【０００２】
老人介護施設や病院等において、被介護者や患者をして汗をかいた個所にできるかぶれや湿疹やタダレを発症させない治療は極めて重要であるが、不意な汗や拭き取りにくい個所の汗を取るために、通常、タオルや手拭いを所望の大きさに折り畳んで、たとえば脇の下のような汗をかき易い個所に挟み込み、これらタオルや手拭いに汗を吸収させるようにしていた。
【考案の開示】
【考案が解決しようとする課題】
【０００３】
しかしながら、タオルや手拭いは汗の吸収力が小さい上に、吸収した汗の発散力に乏しく、汗を保持してしまうため、却って、汗をかき易い個所のかぶれや湿疹やタダレを悪化させることがあった。
【０００４】
本考案は、上記の点に鑑み案出したもので、その目的とするところは、汗による脇の下などのかぶれや湿疹やタダレをなくし、脇の下などを常にサラサラな乾燥状態に保たせる汗取りパットを提供することにある。
【課題を解決するための手段】
【０００５】
上記の目的を達成するため、本考案に係る汗取りパットは、抗菌性と防臭性を有する柔軟な芯材の表裏面に、吸汗性及び発散性を有する柔軟な布帛を重ねて周囲をカット縫製したことを特徴とし、汗をかき易い個所に適用できるように構成した。
【０００６】
また、請求項２に記載の汗取りパットは、抗菌性と防臭性を有する柔軟な芯材の表裏面に、吸汗性及び発散性を備えた柔軟な布帛を重ね、幅より丈を長くした平面形状にカット縫製したことを特徴とし、丈方向に二つ折りして汗をかき易い個所に適用できるように構成した。
【考案の効果】
【０００７】
本考案によれば、抗菌性と防臭性を有する柔軟な芯材の表裏面に、吸汗性及び発散性を有する柔軟な布帛を重ねて周囲をカット縫製したことを特徴としているので、汗をかき易い個所、たとえば脇の下に適用し、表裏面を構成する布帛により汗がよく吸収でき、芯材まで達した汗は抗菌／防臭され、しかも、表面側に保持されている汗は発散され、常に、サラサラ感が得られる。したがって、汗による脇の下などの多汗個所のかぶれや湿疹やタダレを改善できるという優れた効果を奏するものである。
【０００８】
また、請求項２に記載の考案によれば、抗菌性と防臭性を有する柔軟な芯材の表裏面に吸汗性及び発散性を備えた柔軟な布帛を重ね、幅より丈を長くした平面形状にカット縫製したことを特徴としているので、丈方向に二つ折りして汗をかき易い個所に適用することができる。したがって、当初、たとえば、表面側の布帛を「外」にして多汗個所の汗取り後、反転して裏面側の布帛を「外」にして多汗個所の汗取りに繰り返し使用できるという優れた効果を奏するものである。
【考案を実施するための最良の形態】
【０００９】
次に、本考案の実施の最良の態様を図面に基いて説明する。図１は本願パットの一部切欠斜視図、図２は本願パットの構造を示す断面図、図３は脇の下に使用した状態を示す斜視図である。
【００１０】
１は本願パットで、該本願パット１は、抗菌性と防臭性を有する柔軟な芯材２の表裏面に、吸汗性及び発散性を有する柔軟な布帛３、４を重ね、図１の如く、周囲をカット縫製５してなる。このカット縫製５は、工業用ミシン（図示せず）を用いてカットとカット縁の縫製とを同時的に行ったものであるが、工業用ミシンを用いるか否かは問わない。
【００１１】
前記本願パット１は、実施例では、幅Ａより丈Ｂを長くした平面形状（長方形）にカット縫製５したものになっている。これは本願パット１を二つ折りして多汗個所に適用できるようにするためで、具体的には、１５ｃｍ×３０ｃｍ（二つ折り使用時１５ｃｍ角）となっている。尤も、女性あるいは子供用としては、１０ｃｍ×２０ｃｍ（二つ折り使用時１０ｃｍ角）程度のものも用意される。
【００１２】
前記本願パット１の展開時（長方形）あるいは二つ折り時（正方形）の体裁は、図示のの如く、必ずしも長方形あるいは方形に限らない。具体的には図示していないが、展開時は円を２つ並べた「８の字型」でも、台形を短辺で接続させた「鼓型」でも、その他人気マンガの主人公の顔や姿態になるように工夫することもある。
【００１３】
前記芯材２には、たとえば、透湿性の高いポリウレタンフィルムに抗菌及び防臭処理を施したものを用い、前記布帛３、４には、たとえば、ポリエステル繊維を用いた織物又は編物に、吸汗性や発散性の薬剤を塗布したものを用いてもよい。
【００１４】
前記芯材２及び布帛３、４は、上記具体的なフィルムや繊維に限らず、同効のものであればよい。なお、前記芯材２は図示の例では１枚になっているが２枚以上（抗菌力、防臭力を別々に施したもの）であっても良いことは勿論である。
【００１５】
次に、本願パット１の脇の下の汗取りに適用する場合について説明する。まず、本願パット１を丈方向の中点（図１の二点鎖線）Ｐ付近より二つ折りする。この二つ折りは、当初、表面側布帛３を「外」にするか、裏面側布帛４を「外」にするかは自由である。二つ折りしたものを更に二つ折り（四つ折り）にすることも使用者をして自由である。
【００１６】
次いで、表面側布帛３を「外」にして二つ折りの本願パット１を、図３の如く、人体６の脇の下７に挟み込む。この状態を維持すると、脇の下７の発汗に対して本願パット１の表面側の布帛３の吸汗性が作用し、汗を吸収する。該汗は布帛３の内面に接している芯材２の作用により抗菌及び防臭されるとともに、布帛３に吸着されている汗は該布帛３の発散性により空中に放散される。
【００１７】
したがって、脇の下７は本願パット１を挟み込んでいる限り、サラサラの乾燥状態に保たれるため、かぶれや湿疹やタダレを防ぎ、既に、かぶれや湿疹やタダレがあるときは、これを改善する。
【００１８】
更に、本願パット１を反転して裏面側の布帛４を「外」にして多汗個所の汗取りに繰り返し使用できる。該布帛４の新たな吸汗性及び発散性と、芯材２の抗菌性及び防臭性とにより脇の下７は、サラサラの乾燥状態となり、かぶれや湿疹やタダレを防ぎ、既に、かぶれや湿疹やタダレがあるときは、これを改善するように作用する。
【産業上の利用可能性】
【００１９】
本願パットは、二つ折りにして脇下にあてて使用でき、脇の下の汗によるベタ付きを解消するとともに、使用者をして常にサラサラ感（ドライ感）が得られるもので、介護施設等において有効に利用できるものである。
【図面の簡単な説明】
【００２０】
【図１】本願パットの一部切欠斜視図である。
【図２】本願パットの構造を示す断面図である。
【図３】脇の下に使用した状態を示す斜視図である。
【符号の説明】
【００２１】
１  本願バット
２  芯材
３、４  布帛
５  カット縫製
６  人体
７  脇の下
【図１】
0003123768.tif 000003
【図２】
0003123768.tif 000004
【図３】
0003123768.tif 000005